(57)【特許請求の範囲】
【請求項１】
クリップを備えたキャップを、筆記具本体のペン先側に着脱自在に設けた筆記具であって、クリップの下部内面に玉部を設け、該玉部をキャップ本体の開口端より下方に突出させると共に、前記キャップ本体の中間部外周面に支持突起を設け、キャップをペン先側に装着させた際、前記支持突起と前記クリップの内面とを圧接させ、且つ、前記玉部と前記筆記具本体外面とを対向させてなることを特徴とする筆記具。
【請求項２】
キャップをペン先側に装着させた際、前記支持突起と前記クリップの内面とを圧接させ、且つ、前記玉部と前記筆記具本体外面とを非接触状態で対向させてなる請求項１記載の筆記具。
【請求項３】
筆記具本体のペン先側外面に滑り止め把持部を設け、キャップをペン先側に装着させた際、前記滑り止め把持部と前記玉部とを非接触状態で対向させてなる請求項２記載の筆記具。
【請求項４】
キャップをペン先側に装着させた際、前記支持突起と前記クリップの内面とを圧接させ、且つ、前記玉部と前記筆記具本体外面とを圧接させてなる請求項１記載の筆記具。
【請求項５】
筆記具本体のペン先側外面に弾性材料よりなる滑り止め把持部を設け、キャップをペン先側に装着させた際、前記滑り止め把持部と前記玉部とを圧接させてなる請求項４記載の筆記具。
【発明の詳細な説明】
【０００１】
【発明の属する技術分野】
本発明は、筆記具に関する。詳細には、クリップを備えたキャップを、筆記具本体のペン先側に着脱自在に設けた筆記具に関する。尚、本発明で「上」とはキャップの閉塞側を指し、「下」とはキャップの開口側を指す。
【０００２】
【従来の技術】
従来、金属板等の弾性片よりなるクリップをキャップ本体外面に取り付け、前記クリップの下端部をキャップ本体の下端部より下方に突出させ、前記クリップの下端部の内面に玉部を設け、筆記具本体のペン先側にキャップを装着した後、前記玉部と筆記具本体外面との間で被挟持物を挟持してなるクリップ構造の筆記具が知られている。
【０００３】
【発明が解決しようとする課題】
前記従来の筆記具は、クリップの玉部と筆記具本体の外面との間で十分な挟持力を得るために、クリップに予め径方向内方にテンションを与えておくことが好ましい。それにより、図５に示すように、キャップ２ａを筆記具本体５ａのペン先側に装着する際、クリップ４ａの玉部４１ａと筆記具本体５ａの外面とが接触してスムーズなキャップ装着が損なわれるおそれがある。そのため、従来では、クリップに予め大きなテンションを与えることができず、十分な挟持力が得られていない。その上、前記従来のような、クリップの玉部が筆記具本体の外面に弱いテンションで接触する構造の場合、高い寸法精度がクリップに必要となる。
【０００４】
尚、前記クリップの玉部と筆記具本体の外面とが接触することにより、スムーズなキャップ装着が阻害される不具合は、図５に示すように、クリップの玉部が対向する筆記具本体の外面に、凹凸部やラバーグリップ等の滑り止め把持部５１ａを設けた場合に生じやすい。
【０００５】
本発明は、前記従来の問題点を解決するものであって、クリップの寸法精度を必要とせず、クリップの十分な挟持力が得られると同時に、キャップの円滑な装着性が阻害されることがない筆記具を提供しようとするものである。
【０００６】
【課題を解決するための手段】
〔１〕本発明は、クリップ４を備えたキャップ２を、筆記具本体５のペン先５２側に着脱自在に設けた筆記具１であって、クリップ４の下部内面に玉部４１を設け、該玉部４１をキャップ本体３の開口端より下方に突出させると共に、前記キャップ本体３の中間部外周面に支持突起３１を設け、キャップ２をペン先５２側に装着させた際、前記支持突起３１と前記クリップ４の内面とを圧接させ、且つ、前記玉部４１と前記筆記具本体５外面とを対向させてなること（請求項１）を要件とする。（図１、図２参照）
【０００７】
（作用）
前記支持突起３１が前記クリップ４内面を圧接支持しているため、径方向内方への大きなテンションをクリップ４に予め付与することができる。その結果、クリップの寸法精度を必要とせず、玉部４１と筆記具本体５外面との間、または支持突起３１とクリップ４内面との間で十分な挟持力が容易に得られる。
【０００８】
さらに、前記支持突起３１によって、クリップ４の径方向内方への付勢力のほとんどを支持しているため、仮に、玉部４１と筆記具本体５外面とが接触しても、キャップ２の円滑な装着性が阻害されることなく、キャップ２のスムーズな装着が可能となる。
【０００９】
〔２〕前記請求項１の筆記具１において、キャップ２をペン先５２側に装着させた際、前記支持突起３１と前記クリップ４の内面とを圧接させ、且つ、前記玉部４１と前記筆記具本体５外面とを非接触状態で対向させてなること（請求項２）が好ましい。（図１参照）
【００１０】
（作用）
前記支持突起３１によって、クリップ４の内面が圧接支持され、少なくともキャップ２を筆記具本体５のペン先５２側に装着させた際、筆記具本体５の外面と前記玉部４１とが非接触状態にあるため、より一層、キャップ２のスムーズな装着が可能となる。
【００１１】
〔３〕前記請求項２の筆記具１において、筆記具本体５のペン先側外面に滑り止め把持部５１を設け、キャップ２をペン先５２側に装着させた際、前記滑り止め把持部５１と前記玉部４１とを非接触状態で対向させてなること（請求項３）が好ましい。
【００１２】
（作用）
前記滑り止め把持部５１と玉部４１とを非接触状態に対向させたことにより、前記滑り止め把持部５１と前記玉部４１とが接触することにより生じる不具合（即ちキャップの装着性の著しい低下）が解消され、円滑なキャップ装着が可能となる。さらに、前記滑り止め把持部５１と前記玉部４１との間で被挟持物を十分に挟持し、前記滑り止め把持部５１の摩擦力で被挟持物の脱落をより一層抑止することができる。
【００１３】
〔４〕前記請求項１の筆記具１において、キャップ２をペン先５２側に装着させた際、前記支持突起３１と前記クリップ４の内面とを圧接させ、且つ、前記玉部４１と前記筆記具本体５外面とを圧接させてなること（請求項４）が好ましい。（図２参照）
【００１４】
（作用）
前記支持突起３１によって、クリップ４の径方向内方への付勢力のほとんどを支持しているため、玉部４１と筆記具本体５外面とが接触しても、キャップ２の円滑な装着性が阻害されることがなく、キャップ２のスムーズな装着が可能となる。その上、玉部４１と筆記具本体５外面とが圧接しているため、被挟持物が厚みの薄いものであっても被挟持物の安定した挟持が可能となる。
【００１５】
〔５〕前記請求項４の筆記具１において、筆記具本体５のペン先５２側外面に弾性材料よりなる滑り止め把持部５１を設け、キャップ２をペン先５２側に装着させた際、前記滑り止め把持部５１と前記玉部４１とを圧接させてなること（請求項５）が好ましい。
【００１６】
（作用）
前記滑り止め把持部５１と前記玉部４１とを圧接させてなることにより、前記滑り止め把持部５１と前記玉部４１との間で被挟持物を十分に挟持し、前記滑り止め把持部５１の摩擦力で被挟持物の脱落をより一層抑止することができる。
【００１７】
さらに、前記滑り止め把持部５１が弾性材料よりなるため、玉部４１と滑り止め把持部５１との接触のばらつきを吸収できる。その結果、玉部４１と滑り止め把持部５１とが接触し且つ支持突起３１とクリップ４内面とが非接触状態となる不具合を十分に回避でき、支持突起３１とクリップ４内面との圧接状態、及び玉部４１と滑り止め把持部５１との圧接状態が維持される。
【００１８】
（滑り止め把持部）
前記請求項３に記載の前記滑り止め把持部５１は、合成ゴム等の弾性材料からなるもの、もしくは凹凸形状からなるもの、又はそれらの組合せ等が挙げられる。また、前期請求項５に記載の弾性材料よりなる滑り止め把持部５１は、合成ゴムや熱可塑性エラストマー等よりなるものが挙げられる。
【００１９】
（玉部）
前記請求項１〜請求項５に記載の玉部４１は、筆記具本体５外面に対向させることにより、筆記具本体５外面との間で挟持機能を有する。前記玉部４１は、具体的には、クリップ４の下部内面に、折り曲げ加工等により一体に形成するもの、またはクリップ４の下部内面に別部材よりなる玉部４１を固着したもの等、いずれであってもよい。
【００２０】
（支持突起）
前記請求項１〜請求項５に記載の支持突起３１は、クリップ４の中間部（取付脚部４２と玉部４１の中間部）内面との間で挟持機能を有し、クリップ４の下部の玉部４１（第１の玉部）以外にも、挟持部（第２の玉部）を構成する。
【００２１】
（クリップ）
前記請求項１〜請求項５に記載のクリップは、弾性片（例えば、金属板片、プラスチック板片等）よりなる。
【００２２】
【発明の実施の形態】
本発明の実施の形態について図面に従って説明する。
【００２３】
図１に本発明の筆記具１の第１実施例を示す。
【００２４】
筆記具１は、筆記具本体５と、該筆記具本体５のペン先５２側に被着可能なキャップ２とからなる。前記筆記具本体５は、先端にペン先５２（例えばボールペンチップ）を備える。そして、前記キャップ２は、キャップ本体３と、該キャップ本体３の上端部に取り付けられる金属板製のクリップ４とからなる。
【００２５】
前記キャップ本体３は、上端部が閉塞され且つ下端部が開口された合成樹脂（例えばポリプロピレン樹脂等）の射出成形により得られる円筒体である。
【００２６】
前記キャップ本体３の上端部外周面には取付凸部３２が一体に設けられ、そこに、上方に開口する取付孔３３が設けられている。
【００２７】
また、前記キャップ本体３の取付凸部３２の下方の外周面には、軸方向に延びる板状リブよりなる支持突起３１が一体に形成される。前記支持突起３１は、下側面が傾斜面または曲面、且つ頂面が曲面となっており、それにより、被挟持物（例えば衣類のポケット、手帳等）の挿入を円滑なものにする。
【００２８】
前記クリップ４の上端部には、内方へのコの字状の折曲加工により取付脚部４２が形成され、一方、前記クリップ４の下端部には、内方への折曲加工により玉部４１が形成される。前記取付脚部４２は、キャップ本体３の取付凸部３２の取付孔３３に圧入固定される。また、前記クリップ４の中間部（すなわち取付脚部４２と玉部４１の中間部）の内面には支持突起３１が圧接されている。
【００２９】
また、前記筆記具本体５のペン先５１側外面には、合成ゴムや熱可塑性エラストマー等の弾性材料よりなる滑り止め把持部５１が設けられる。さらに、前記滑り止め把持部５１の外面には、複数の環状凸部と環状凹部からなる凹凸模様が形成されている。
【００３０】
キャップ装着過程、及びキャップ装着後、前記滑り止め把持部５１と前記玉部４１との間には隙間６が形成され、前記滑り止め把持部５１と前記玉部４１との非接触状態が保たれる。
【００３１】
図２に本発明の筆記具１の第２実施例を示す。
第１実施例と異なる点は、キャップ２を筆記具本体５のペン先５２側に装着した際、クリップ４下端部の玉部４１が弾性材料よりなる滑り止め把持部５１に圧接し、前記滑り止め把持部５１に前記玉部４１内端部が僅かに埋没する点にある。尚、他の構成（例えば、キャップ本体３、クリップ４、筆記具本体５、及び支持突起３１がクリップ４内面と圧接する構成等）は、第１実施例と同一であるため、その説明は省略する。
【００３２】
図３及び図４にクリップ４の玉部４１の他の例を示す。
図３のクリップ４の玉部４１は、金属板製のクリップ４の下部（即ち下端部近傍）を、内方への押圧変形によって断面Ｃ字状に突出させることにより構成される。また、図４のクリップ４の玉部４１は、金属板製のクリップ４の下部を内方へ僅かに傾斜させると共に、該クリップ４の下端部を外方へ断面リング状に折曲させることにより構成される。
【００３３】
図３のキャップ２、及び図４のキャップ２は、筆記具本体５のペン先側に装着した際、第１実施例（図１）のように、玉部４１と筆記具本体５の外面（滑り止め把持部５１外面）とが非接触状態であってもよいし、第２実施例（図２）のように、玉部４１と筆記具本体５の外面（滑り止め把持部５１外面）とが圧接状態にあってもよい。
【００３４】
尚、図３のキャップ２、及び図４のキャップ２の他の構成は第１、第２実施例と同一である。
【００３５】
【発明の効果】
請求項１により、クリップの十分な挟持力が容易に得られると同時に、キャップのスムーズな装着性が得られる。
【００３６】
請求項２により、より一層、キャップのスムーズな装着が可能となる。
【００３７】
請求項３により、より一層、円滑なキャップ装着が可能となる。さらに、滑り止め把持部と玉部との間で被挟持物を十分に挟持し、被挟持物の脱落をより一層抑止することができる。
【００３８】
請求項４により、キャップの装着性が阻害されることがない上に、被挟持物が厚みの薄いものであっても被挟持物の安定した挟持が可能となる。
【００３９】
請求項５により、滑り止め把持部と玉部との間で被挟持物を十分に挟持し、被挟持物の脱落をより一層抑止することができる。さらに、玉部と滑り止め把持部との接触のばらつきを吸収でき、より一層、支持突起とクリップ内面との接触が維持される。
【図面の簡単な説明】
【図１】本発明の第１実施例を示す縦断面図である。
【図２】本発明の第２実施例を示す縦断面図である。
【図３】本発明に適用するキャップの他の例を示す縦断面図である。
【図４】本発明に適用するキャップの他の例を示す縦断面図である。
【図５】従来の不具合を説明する図である。
【符号の説明】
１  筆記具
２  キャップ
３  キャップ本体
３１  支持突起
３２  取付凸部
３３  取付孔
４  クリップ
４１  玉部
４２  取付脚部
５  筆記具本体
５１  滑り止め把持部
５２  ペン先
６  隙間
【図１】
0004401509.tif 000002
【図２】
0004401509.tif 000003
【図３】
0004401509.tif 000004
【図４】
0004401509.tif 000005
【図５】
0004401509.tif 000006